(57)【特許請求の範囲】
【請求項１】
光バースト信号を入力し電気バースト信号の正相信号及び逆相信号を出力する光バースト信号受信器もしくは電気バースト信号を入力し正相信号及び逆相信号を出力するバースト信号発生器と、
前記電気バースト信号の正相信号及び逆相信号を入力し、それぞれの電圧の変化に応じた信号を正相信号及び逆相信号として出力する微分回路と、
前記微分回路が出力する正相信号及び逆相信号を入力し、これらの電圧の差分を増幅した正相信号及び逆相信号を出力する差動増幅器と、
前記差動増幅器が出力する正相信号及び逆相信号を入力し、これらの電圧の論理和をとった信号を出力するアナログＯＲ回路と、
前記アナログＯＲ回路の出力端子に接続され、前記アナログＯＲ回路の出力信号を平滑化する容量素子と、
を具備することを特徴とするバースト信号受信装置。
【請求項２】
前記微分回路は、前記電気バースト信号の正相信号が入力される入力端子及び前記差動増幅器へ正相信号を出力する出力端子に両端が接続された第１の容量素子と、一端が該出力端子に接続され他端が電源に接続された第１の抵抗と、前記電気バースト信号の逆相信号が入力される入力端子及び前記差動増幅器へ逆相信号を出力する出力端子に両端が接続された第２の容量素子と、一端が該出力端子に接続され他端が前記電源に接続された第２の抵抗とを具備することを特徴とする請求項１に記載のバースト信号受信装置。
【請求項３】
光バースト信号を入力し電気バースト信号の正相信号及び逆相信号を出力する光バースト信号受信器もしくは電気バースト信号を入力し正相信号及び逆相信号を出力するバースト信号発生器と、
前記電気バースト信号の正相信号及び逆相信号を入力し、それぞれの信号を等価増幅した正相信号及び逆相信号を出力するレベル識別部と、
前記レベル識別部が出力する正相信号及び逆相信号を入力し、これらの電圧の差分を増幅した正相信号及び逆相信号を出力する差動増幅器と、
前記差動増幅器が出力する正相信号及び逆相信号を入力し、これらの電圧の論理和をとった信号を出力するアナログＯＲ回路と、
前記アナログＯＲ回路の出力端子に接続され、前記アナログＯＲ回路の出力信号を平滑化する容量素子と、
を具備することを特徴とするバースト信号受信装置。
【請求項４】
光バースト信号受信器もしくはバースト信号発生器が出力する電気バースト信号の正相信号及び逆相信号を微分回路に入力し、それぞれの電圧の変化に応じた信号を正相信号及び逆相信号として出力する過程と、
前記微分回路が出力する正相信号及び逆相信号を差動増幅器に入力し、これらの電圧の差分を増幅した正相信号及び逆相信号を出力する過程と、
前記差動増幅器の正相信号及び逆相信号をアナログＯＲ回路に入力し、これらの電圧の論理和をとった信号を出力する過程と、
前記アナログＯＲ回路が出力する信号を前記アナログＯＲ回路の出力端子に接続された容量素子により平滑化する過程と、
を有することを特徴とするバースト信号検出方法。
【請求項５】
光バースト信号受信器もしくはバースト信号発生器が出力する電気バースト信号の正相信号及び逆相信号をレベル識別部に入力し、それぞれの信号を等価増幅した正相信号及び逆相信号を出力する過程と、
前記レベル識別部が出力する正相信号及び逆相信号を差動増幅器に入力し、これらの電圧の差分を増幅した正相信号及び逆相信号を出力する過程と、
前記差動増幅器の正相信号及び逆相信号をアナログＯＲ回路に入力し、これらの電圧の論理和をとった信号を出力する過程と、
前記アナログＯＲ回路が出力する信号を前記アナログＯＲ回路の出力端子に接続された容量素子により平滑化する過程と、
を有することを特徴とするバースト信号検出方法。
【発明の詳細な説明】
【技術分野】
【０００１】
本発明は、信号列がある区間ごとに並んでいるバースト信号を検出するバースト信号受信装置及びバースト信号検出方法に関する。
【背景技術】
【０００２】
現在、FTTH(Fiber To The Home)、FTTB/C(Fiber To The Building/Curb)、FTTCab(Fiber To The Cabinet)サービスのネットワーク構成とアクセス回線の方式にPON(Passive Optical Network)方式が採用されることが多い。PON方式は局側終端装置のOLT(Optical Line Terminal)とユーザ側終端装置のONU(Optical Network Unit)で光通信網を設ける。ここで、ONUからOLTへの光伝送信号の形式はバースト信号であり、OLTは光バースト信号受信装置としての機能を持たなければならない。PON方式にはATM(Asynchronous Transfer Mode)-PON方式、B(Broadband)-PON方式、E(Ethernet(登録商標))-PON方式等の様々な方式があるが、OLTの受信信号は全てにおいてバースト信号である。
【０００３】
従来、特許文献１及び特許文献２に記載されているように、バースト信号受信装置におけるバースト信号の検出は、ピーク検出回路を用いて入力信号のピーク検出を行い、その充放電時定数によってバースト信号を検出した際のアサート時間、バースト信号が終了した際のデアサート時間を決定していた。
【０００４】
図８は従来のバースト信号検出回路の一例を示す図である。ピーク検出回路９０ａは、差動増幅器９１、ダイオード９２、コンデンサ９３から構成される。差動増幅器９１の非反転入力端子は入力端子９４に接続され、電気信号に変換されたバースト信号が入力される。差動増幅器９１の出力信号はダイオード９２に入力される。ダイオード９２の出力端子は比較器７０、コンデンサ９３、差動増幅器９１の反転入力端子に接続され、コンデンサ９３の他端はグランド電圧に接続される。比較器７０の一方の入力端子にはピーク検出回路９０ａの出力信号が入力され、他方の入力端子には閾値電圧に入力され、これらの電圧の比較結果をシグナルディテクト信号として出力端子７１へ出力する。すなわち、比較器７０はピーク検出回路９０ａからの入力信号の電圧が閾値電圧より高い場合はハイレベル、そうでない場合はローレベルの信号を出力端子７１へ出力する。
【０００５】
図９は、図８のバースト信号検出回路の各部における信号の波形を示す図である。（ａ）の実線は入力端子９４に入力されるバースト信号の波形を示す。この波形は、最初にローレベルからハイレベルへ遷移したところからバースト信号が開始し、ハイレベルからローレベルへ３回目に遷移したところでバースト信号が終了することを示す。（ｂ）の破線はピーク検出回路９０ａから出力され比較器７０に入力される信号の波形を示し、実線は比較器７０に入力される閾値電圧を示す。比較器７０はこれら入力信号の電圧を比較し、（ｃ）の実線に示す波形のシグナルディテクト信号を出力する。なお、（ｃ）の破線は、シグナルディテクト信号の逆相信号の波形を示す。このように図８のバースト信号検出回路によれば、コンデンサ９３が放電しないので、入力端子９４に入力されるバースト信号の波形がハイレベルからローレベルへ遷移してもピーク値が維持されるが、バースト信号が終了してもシグナルディテクト信号が終了せず、ハイレベルに維持されたままとなる。
【０００６】
このため、図１０に示すピーク検出回路９０ｂのように電荷を保持するコンデンサ９３と並列に、例えば放電用抵抗９５のような電荷を放電させる素子が接続される。そして、コンデンサ９３の容量と放電用抵抗９５の抵抗値による放電時定数を短い時間に設定することにより、バースト信号終了後に早い時間でシグナルディテクト信号を終了させることができる。
【特許文献１】特開２００３−２６４５０４号公報
【特許文献２】特開２００４−７２７１０号公報
【発明の開示】
【発明が解決しようとする課題】
【０００７】
しかし、図１０に示すように構成した場合、バースト信号検出回路の各部における信号は図１１に示すような波形となる。すなわち、（ａ）の実線に示すバースト信号の途中であってもバースト信号の波形がハイレベルからローレベルへ遷移したときにピーク値が維持されずに下降し、ピーク検出回路９０ｂの出力信号は（ｂ）の破線に示すような波形となる。この波形がバースト信号の途中で（ｂ）の実線に示す閾値電圧を横断すると比較器７０の出力信号が反転し、（ｃ）の実線に示すような波形となる。このようにバースト信号が継続しているのにシグナルディテクト信号が一定に維持されないのでバースト信号の誤検出が起こる。
【０００８】
また、バイアス成分をもつ光バースト信号が入力されと、光入力信号を電流に変換するＰＩＮ−ＰＤ（不純物密度の小さいｉ層を高濃度のｐ型とｎ型の半導体で挟んだｐｉｎ構造のフォトダイオード）又はＡＰＤ（アバランシェフォトダイオード）の特性に起因するTail Current（裾引き電流）が発生し、この電流を電圧に変換したときに低周波成分が誘起される。
【０００９】
図１２に、バイアス成分をもつバースト信号及び図１０に示す従来のバースト信号検出回路の各部における信号の波形を示す。なお、図１１を参照して説明したバースト信号の途中のピーク値の下降は、ここでは省略している。（ａ）の細線はピーク検出回路９０ｂ（図１０）に入力される電気信号に変換されたバースト信号の波形を示し、太線はピーク検出回路９０ｂの出力信号の波形を示す。ここでTail Currentの長さはばらつきが大きいが、長いものでマイクロ秒オーダである。比較器７０（図１０）は（ｂ）の太線に示すピーク検出回路９０ｂの出力信号の電圧と細線に示す閾値電圧とを比較して、（ｃ）に示すシグナルディテクト信号を出力する。このように、バースト信号終了後のTail Currentによる低周波成分がノイズとして出力され、シグナルディテクト信号のデアサート時間が長くなる結果となる。
本発明は、上記の事情を考慮してなされたものであり、その目的は、シグナルディテクト信号のデアサート時間を短くするとともに安定したバースト信号検出を行うことができるバースト信号受信装置及びバースト信号検出方法を提供することである。
【課題を解決するための手段】
【００１０】
本発明は上記の課題を解決するためになされたもので、請求項１に記載の発明は、光バースト信号を入力し電気バースト信号の正相信号及び逆相信号を出力する光バースト信号受信器もしくは電気バースト信号を入力し正相信号及び逆相信号を出力するバースト信号発生器と、前記電気バースト信号の正相信号及び逆相信号を入力し、それぞれの電圧の変化に応じた信号を正相信号及び逆相信号として出力する微分回路と、前記微分回路が出力する正相信号及び逆相信号を入力し、これらの電圧の差分を増幅した正相信号及び逆相信号を出力する差動増幅器と、前記差動増幅器が出力する正相信号及び逆相信号を入力し、これらの電圧の論理和をとった信号を出力するアナログＯＲ回路と、前記アナログＯＲ回路の出力端子に接続され、前記アナログＯＲ回路の出力信号を平滑化する容量素子と、を具備することを特徴とするバースト信号受信装置である。
【００１１】
請求項２に記載の発明は、請求項１に記載のバースト信号受信装置において、前記微分回路は、前記電気バースト信号の正相信号が入力される入力端子及び前記差動増幅器へ正相信号を出力する出力端子に両端が接続された第１の容量素子と、一端が該出力端子に接続され他端が電源に接続された第１の抵抗と、前記電気バースト信号の逆相信号が入力される入力端子及び前記差動増幅器へ逆相信号を出力する出力端子に両端が接続された第２の容量素子と、一端が該出力端子に接続され他端が前記電源に接続された第２の抵抗とを具備することを特徴とする。
【００１２】
請求項３に記載の発明は、光バースト信号を入力し電気バースト信号の正相信号及び逆相信号を出力する光バースト信号受信器もしくは電気バースト信号を入力し正相信号及び逆相信号を出力するバースト信号発生器と、前記電気バースト信号の正相信号及び逆相信号を入力し、それぞれの信号を等価増幅した正相信号及び逆相信号を出力するレベル識別部と、前記レベル識別部が出力する正相信号及び逆相信号を入力し、これらの電圧の差分を増幅した正相信号及び逆相信号を出力する差動増幅器と、前記差動増幅器が出力する正相信号及び逆相信号を入力し、これらの電圧の論理和をとった信号を出力するアナログＯＲ回路と、前記アナログＯＲ回路の出力端子に接続され、前記アナログＯＲ回路の出力信号を平滑化する容量素子と、を具備することを特徴とするバースト信号受信装置である。
【００１３】
請求項４に記載の発明は、光バースト信号受信器もしくはバースト信号発生器が出力する電気バースト信号の正相信号及び逆相信号を微分回路に入力し、それぞれの電圧の変化に応じた信号を正相信号及び逆相信号として出力する過程と、前記微分回路が出力する正相信号及び逆相信号を差動増幅器に入力し、これらの電圧の差分を増幅した正相信号及び逆相信号を出力する過程と、前記差動増幅器の正相信号及び逆相信号をアナログＯＲ回路に入力し、これらの電圧の論理和をとった信号を出力する過程と、前記アナログＯＲ回路が出力する信号を前記アナログＯＲ回路の出力端子に接続された容量素子により平滑化する過程と、を有することを特徴とするバースト信号検出方法である。
【００１４】
請求項５に記載の発明は、光バースト信号受信器もしくはバースト信号発生器が出力する電気バースト信号の正相信号及び逆相信号をレベル識別部に入力し、それぞれの信号を等価増幅した正相信号及び逆相信号を出力する過程と、前記レベル識別部が出力する正相信号及び逆相信号を差動増幅器に入力し、これらの電圧の差分を増幅した正相信号及び逆相信号を出力する過程と、前記差動増幅器の正相信号及び逆相信号をアナログＯＲ回路に入力し、これらの電圧の論理和をとった信号を出力する過程と、前記アナログＯＲ回路が出力する信号を前記アナログＯＲ回路の出力端子に接続された容量素子により平滑化する過程と、を有することを特徴とするバースト信号検出方法である。
【発明の効果】
【００１５】
本発明によれば、バースト信号検出においてアナログＯＲ回路を用いることにより、ハイレベルの信号を安定して出力することができる。また、コンデンサの容量によりシグナルディテクト信号のアサート時間、デアサート時間を容易に設定することができる。また、微分回路を用いることで、バースト信号終了後に生じるTail Currentに起因する低周波成分を除去してバースト信号を検出することができ、また、バイアス成分をもつバースト信号も正しく検出することができる。
【発明を実施するための最良の形態】
【００１６】
以下、図面を参照し、本発明の実施形態について説明する。図２は、光バースト信号受信装置１の構成を示すブロック図である。光バースト信号受信器１０は、入力される光バースト信号を電気信号に変換し増幅して電気バースト信号を出力する。すなわち、フォトダイオード１１に光バースト信号が入力されるとその強度に応じた電流が発生し、この電流がプリアンプ１２で電圧に変換され増幅されて、正相及び逆相の電気バースト信号が出力される。
なお、光バースト信号受信器１０は、バースト信号発生器で置き換えてもよい。このバースト信号発生器は、信号列がある区間ごとに並んでいる電気バースト信号が入力されると、この信号を増幅し、正相及び逆相の電気バースト信号を出力する。
【００１７】
レベル識別回路２０には、上記の電気バースト信号の正相信号が入力され、この信号を等価増幅してセレクタ８０へ出力する。微分回路３０には上記の電気バースト信号の正相信号及び逆相信号が入力される。この微分回路３０とバースト信号検出回路１００から構成されるシグナルディテクト信号生成回路２００は、バースト信号を検出したときにハイレベル、それ以外はローレベルのシグナルディテクト信号を生成してセレクタ８０へ出力する。
【００１８】
セレクタ８０には、レベル識別回路２０の出力信号、ローレベル発生回路８１が出力するローレベルの信号、シグナルディテクト信号生成回路２００が出力するシグナルディテクト信号が入力される。そして、シグナルディテクト信号がハイレベルのときはレベル識別回路２０から入力される信号を出力端子８２へ出力し、シグナルディテクト信号がローレベルのときはローレベル発生回路８１から入力されるローレベルの信号を出力端子８２へ出力する。このように構成することにより、バースト信号が検出されたときのみ、レベル識別回路２０から入力される信号を出力端子８２へ出力することができる。
【００１９】
次に、上述した光バースト信号受信装置１において本発明の特徴を有する部分であるシグナルディテクト信号生成回路２００の構成を説明する。図１は、シグナルディテクト信号生成回路２００の構成を示すブロック図である。このシグナルディテクト信号生成回路２００は、微分回路３０及びバースト信号検出回路１００から構成され、バースト信号検出回路１００はピーク検出回路９０及び比較器７０から構成される。
【００２０】
微分回路３０には、電気バースト信号の正相信号及び逆相信号が入力される。微分回路３０は、入力される正相信号及び逆相信号のそれぞれの電圧の変化に応じた信号を正相信号及び逆相信号としてピーク検出回路９０の差動増幅器４０へ出力する。差動増幅器４０は入力信号の電圧の差分を増幅した正相信号及び逆相信号をアナログＯＲ回路５０へ出力する。アナログＯＲ回路５０は、入力信号の電圧の論理和をとった信号を出力する。
【００２１】
アナログＯＲ回路５０の出力端子には平滑用コンデンサ６０及び比較器７０が接続されている。平滑用コンデンサ６０の他端はグランド電圧に接続され、比較器７０の他端は閾値電圧に接続されている。これらの構成によりアナログＯＲ回路５０の出力信号は平滑用コンデンサ６０によって平滑化されて比較器７０へ入力され、比較器７０はこの入力信号の電圧と閾値電圧とを比較し、その結果をシグナルディテクト信号として出力端子７１へ出力する。
【００２２】
以下、シグナルディテクト信号生成回路２００を構成する微分回路３０、差動増幅器４０、アナログＯＲ回路５０の構成例を図３、図４を参照して説明する。図３は、微分回路３０の構成例を示す図である。微分回路３０は、２つの容量素子であるコンデンサ３１ａ、３１ｂ、及び、２つの抵抗３２ａ、３２ｂから構成される。入力端子３３ａ、３３ｂにはそれぞれ電気バースト信号の正相信号、逆相信号が入力される。コンデンサ３１ａの一端は入力端子３３ａに接続され、他端は抵抗３２ａ及び出力端子３４ａに接続される。抵抗３２ａの他端は電圧ＶＴの電源に接続される。同様に、コンデンサ３１ｂの一端は入力端子３３ｂに接続され、他端は抵抗３２ｂ及び出力端子３４ｂに接続される。抵抗３２ｂの他端は電圧ＶＴの電源に接続される。
【００２３】
図４は、差動増幅器４０及びアナログＯＲ回路５０の構成例を示す図である。入力端子４６及び４７には、微分回路３０が出力する正相信号及び逆相信号が入力される。差動増幅器４０は、トランジスタ４１、４２、定電流回路４３、抵抗４４、４５から構成される。トランジスタ４１のベース端子は入力端子４６に接続され、コレクタ端子は抵抗４４及びアナログＯＲ回路５０のトランジスタ５２のベース端子に接続され、エミッタ端子は定電流回路４３に接続される。また、トランジスタ４２のベース端子は入力端子４７に接続され、コレクタ端子は抵抗４５及びアナログＯＲ回路５０のトランジスタ５１のベース端子に接続され、エミッタ端子は定電流回路４３に接続される。抵抗４４、４５の他端は正電源端子に接続される。
【００２４】
アナログＯＲ回路５０は、トランジスタ５１、５２、定電流回路５３から構成される。トランジスタ５１のベース端子は差動増幅器４０のトランジスタ４２のコレクタ端子及び抵抗４５に接続され、コレクタ端子は正電源端子に接続され、エミッタ端子は定電流回路５３、平滑用コンデンサ６０、出力端子６１に接続される。また、トランジスタ５２のベース端子は差動増幅器４０のトランジスタ４１のコレクタ端子及び抵抗４４に接続され、コレクタ端子は正電源端子に接続され、エミッタ端子は定電流回路５３、平滑用コンデンサ６０、出力端子６１に接続される。平滑用コンデンサ６０の他端はグランド電圧に接続される。出力端子６１は比較器７０に接続される。
【００２５】
次に、図５を参照して、シグナルディテクト信号生成回路２００（図１）に電気バースト信号が入力されてからシグナルディテクト信号が生成されるまでの各部の信号の波形を説明する。（ａ）は、光バースト信号受信器１０（図２）が出力する信号の正相信号（実線）と逆相信号（破線）を示す。これらの信号が微分回路３０（図１）に入力されると、（ｂ）に示す正相信号（実線）と逆相信号（破線）が出力される。（ａ）と（ｂ）の波形の関係を説明すると次の通りである。（ａ）に示すように正相信号が増加を始めると、微分回路３０の正相信号はその増加の傾きに応じた電圧まで上昇する。（ａ）の正相信号が増加した後に一定値となると増加の傾きは０となるので微分回路３０の正相信号は０まで減少する。（ａ）の正相信号が一定値から減少を始めると、微分回路３０の正相信号はその減少の傾きに応じた電圧まで下降する。（ａ）の正相信号が減少した後に一定値となると減少の傾きは０となるので微分回路３０の正相信号は０まで増加する。以下、同様に繰り返す。（ｂ）の逆相信号についても同様である。
【００２６】
微分回路３０が出力する正相信号と逆相信号が差動増幅器４０に入力されるとこれらの電圧の差が増幅して出力され、（ｃ）に示す正相信号（実線）とその逆相信号（破線）が出力される。
【００２７】
差動増幅器４０が出力する正相信号と逆相信号がアナログＯＲ回路５０に入力されると、これらの信号のうち常に電圧の高い方の値が検出されるが、アナログＯＲ回路５０の出力電圧は入力電圧に対してわずかに遅延して追随するので、（ｄ）の太線に示す波形となる。
【００２８】
アナログＯＲ回路５０が出力する信号は平滑用コンデンサ６０により平滑化され、（ｅ）に示す波形となる。この波形のローレベルからハイレベルへの遷移時間であるアサート時間、ハイレベルからローレベルへの遷移時間であるデアサート時間は平滑用コンデンサ６０の容量によって設定することができる。平滑用コンデンサ６０の容量を小さくすれば、アサート時間、デアサート時間を短くして早い反応を示すことができ、かつ、平滑用コンデンサ６０の容量を小さくしたとしても、アナログＯＲ回路５０を用いているので常に電圧の高い方の値が出力されハイレベルに落ち着くことになる。すなわち、図１０を参照して説明したピーク検出回路９０ｂの放電時定数によりアサート時間、デアサート時間を決定するより、格段に安定したバースト信号検出を行うことができる。
【００２９】
また、光バースト信号受信器１０から図６（ａ）に示すようなバイアス成分をもつ電気バースト信号で、信号終了後に主にＰＩＮ−ＰＤやＡＰＤで生じるTail Currentに起因する低周波成分を有する電気バースト信号が入力された場合は、これを微分回路３０に入力すると図６（ｂ）に示す波形の信号が出力される。これにより、Tail Currentに起因する低周波成分がカットされるので、シグナルディテクト信号のデアサート時間の遅延を防ぐことができる。
【００３０】
図７は上述したシグナルディテクト信号生成回路２００の各部における信号の波形のシミュレーション結果を示す。図７（ａ）は入力される電気バースト信号の正相信号と逆相信号、（ｂ）は微分回路３０が出力する正相信号と逆相信号、（ｃ）はアナログＯＲ回路５０の出力信号と比較器７０に入力される閾値電圧、（ｄ）はシグナルディテクト信号を示す。図７（ａ）、（ｂ）は、それぞれ図５（ａ）、（ｂ）に対応し、図７（ｃ）においてローレベルからハイレベルに遷移してハイレベルを維持した後、緩やかにローレベルに遷移する信号は、図５（ｄ）の太線に対応する。
【００３１】
なお、図２を参照して説明した構成とは異なり、微分回路３０を設けずにレベル識別回路２０の出力信号を分岐してバースト信号検出回路１００に入力し、シグナルディテクト信号を生成してもよい。この場合、レベル識別回路２０には光バースト信号受信器１０が出力する電気バースト信号の正相信号及び逆相信号を入力し、それぞれの信号を等価増幅した正相信号及び逆相信号を出力し、これらをバースト信号検出回路１００に入力する構成とする。このとき図１及び図４の差動増幅器４０の入力端子には、レベル識別回路２０が出力する正相信号及び逆相信号を入力する。
【産業上の利用可能性】
【００３２】
本発明は、バースト信号受信装置に用いられる。
【図面の簡単な説明】
【００３３】
【図１】本発明の実施形態によるシグナルディテクト信号生成回路２００の構成を示すブロック図である。
【図２】光バースト信号受信装置１の構成を示すブロック図である。
【図３】微分回路３０の構成例を示す図である。
【図４】差動増幅器４０及びアナログＯＲ回路５０の構成例を示す図である。
【図５】シグナルディテクト信号生成回路２００の各部における信号の波形を示す図である。
【図６】バイアス成分をもつ電気バースト信号及び微分回路３０の出力信号の波形を示す図である。
【図７】シグナルディテクト信号生成回路２００の各部における信号の波形のシミュレーション結果を示す。
【図８】従来のバースト信号検出回路の一例を示す図である。
【図９】図８のバースト信号検出回路の各部における信号の波形を示す図である。
【図１０】放電用抵抗を有する従来のバースト信号検出回路の一例を示す図である。
【図１１】図１０のバースト信号検出回路の各部における信号の波形を示す図である。
【図１２】バイアス成分をもつバースト信号及び従来のバースト信号検出回路の各部における信号の波形を示す図である。
【符号の説明】
【００３４】
１…光バースト信号受信装置
１０…光バースト信号受信器
１１…フォトダイオード
１２…プリアンプ
２０…レベル識別回路
３０…微分回路
３１ａ、３１ｂ…コンデンサ
３２ａ、３２ｂ…抵抗
３３ａ、３３ｂ…入力端子
３４ａ、３４ｂ…出力端子
４０…差動増幅器
４１、４２、５１、５２…トランジスタ
４３、５３…定電流回路
４４、４５…抵抗
４６、４７…入力端子
５０…アナログＯＲ回路
６０…平滑用コンデンサ
６１…出力端子
７０…比較器
７１…出力端子
８０…セレクタ
８１…ローレベル発生回路
８２…出力端子
９０、９０ａ、９０ｂ…ピーク検出回路
９１…差動増幅器
９２…ダイオード
９３…コンデンサ
９４…入力端子
９５…放電用抵抗
１００…バースト信号検出回路
２００…シグナルディテクト信号生成回路
【図１】
0004588592.tif 000002
【図２】
0004588592.tif 000003
【図３】
0004588592.tif 000004
【図４】
0004588592.tif 000005
【図５】
0004588592.tif 000006
【図６】
0004588592.tif 000007
【図７】
0004588592.tif 000008
【図８】
0004588592.tif 000009
【図９】
0004588592.tif 000010
【図１０】
0004588592.tif 000011
【図１１】
0004588592.tif 000012
【図１２】
0004588592.tif 000013